(57)【要約】【課題】識別画像が異なる多数のチケットを容易に作成することを可能にする。【解決手段】画像形成装置１は、ユーザーからチケットの発行枚数の指定、予め定められた暗号キーの指定、及び予め定められた暗号化方式の指定を操作受付部が受け付けた場合、指定された発行枚数の各チケットに順次割り振られたチケット番号について、指定された暗号キー及び指定された暗号化方式を用いて、指定された発行枚数のチケット毎に暗号化した暗号番号を作成する暗号番号作成部１３と、チケット毎に作成された暗号番号が格納されるとともに、当該チケットと他のチケットとを識別する識別画像をチケット毎に作成する識別画像作成部１４と、指定された発行枚数の各チケットにおいて、識別画像作成部１４が作成した各チケットについての識別画像を、それぞれ原稿読取部３２で読み取られたチケットの原稿の画像データに付加することで前記指定された発行枚数分の各チケットの印刷処理を印刷部３３に行わせる制御部１１と、を備える。【選択図】図１
2019004417.tif 000002
【特許請求の範囲】
【請求項１】
ユーザーからの操作指示を受け付ける操作受付部と、
チケットの原稿を読み取る原稿読取部と、
記録媒体に対して印刷処理を行う印刷部と、
ユーザーからチケットの発行枚数の指定、予め定められた暗号キーの指定、及び予め定められた暗号化方式の指定を前記操作受付部が受け付けた場合、指定された前記発行枚数の各チケットに順次割り振られたチケット番号について、指定された前記暗号キー及び指定された前記暗号化方式を用いて、前記指定された発行枚数のチケット毎に暗号化した暗号番号を作成する暗号番号作成部と、
前記暗号番号作成部が前記チケット毎の前記暗号番号を作成した場合、前記チケット毎に作成されたチケットの前記暗号番号が格納されるとともに、当該チケットと他のチケットとを識別する識別画像を前記チケット毎に作成する識別画像作成部と、
前記指定された発行枚数の各チケットにおいて、前記識別画像作成部が作成した前記各チケットについての前記識別画像を、それぞれ前記原稿読取部で読み取られた前記チケットの原稿の画像データに付加することで前記指定された発行枚数分の各チケットの印刷処理を前記印刷部に行わせる制御部と、を備える画像形成装置。
【請求項２】
表示部と、
前記表示部の表示制御を行う表示制御部と、を更に備え、
前記表示制御部は、前記識別画像が作成された場合、作成された前記識別画像と前記画像データとを用いて、印刷処理が行われる前記各チケットを示す画像における当該識別画像の配置位置を例示するプレビュー画像を前記表示部に表示させるとともに、前記プレビュー画像においてユーザーから前記識別画像の配置位置の変更の指示を前記操作受付部が受け付けた場合、指示された前記配置位置に前記識別画像を配置した変更後のプレビュー画像を前記表示部に表示させ、
前記制御部は、前記プレビュー画像の表示時にユーザーから前記識別画像の配置位置を決定する指示を前記操作受付部が受け付けた場合、当該指示により決定された前記配置位置に前記識別画像を配置したチケットの印刷処理を前記印刷部に行わせる請求項１に記載の画像形成装置。
【請求項３】
前記指定された発行枚数、前記指定された暗号キー、及び前記指定された暗号化方式と、当該指定された発行枚数の各チケットに順次割り振られたチケット番号とを当該チケットの種類毎に予め記憶した記憶部と、
ユーザーから予め定められたチケットに関する管理処理の指示を前記操作受付部が受け付けた場合、当該ユーザーに対し、当該チケットの発行枚数、当該チケットに用いられた暗号キー、及び当該チケットに用いられた暗号化方式の入力を要求する入力要求部と、
ユーザーから前記チケットの発行枚数、前記チケットに用いられた暗号キー、及び前記チケットに用いられた暗号化方式の入力を前記操作受付部が受け付けた場合、入力された前記発行枚数、入力された前記暗号キー、及び入力された前記暗号化方式から前記管理処理の対象とするチケットの種類を特定する特定部と、
前記原稿読取部で読み取られたチケットの画像データから前記識別画像を検出する識別画像検出部と、
前記識別画像検出部が検出した前記識別画像を解析することにより、当該識別画像から前記暗号番号を抽出する暗号番号抽出部と、
前記暗号番号抽出部が抽出した暗号番号について、入力された暗号キー及び入力された暗号化方式を用いて復号することにより、前記チケット番号を取得するチケット番号取得部と、
前記チケット番号取得部が取得した前記チケット番号と、前記記憶部に記憶されている、前記特定部が特定したチケットの種類に対応した前記チケット番号とが一致するか否かを判別する判別部と、
前記取得したチケット番号と、前記記憶部に記憶されている前記チケット番号とが一致することが判別された場合、判別された前記チケットが有効であると管理するチケット管理部と、を更に備える請求項１又は請求項２に記載の画像形成装置。
【請求項４】
前記チケット管理部は、前記管理処理の対象とするチケットの種類を前記特定部が特定した場合、前記チケットの発行枚数に基づき前記チケットの前記チケット番号毎に当該チケットを有効であると管理した履歴を記憶するチェックシートを作成し、前記記憶部に記憶させるとともに、同一のチケット番号を有するチケットについて、有効であると管理した回数が２回を超えることを検出した場合、当該チケットが重複して印刷されていると判断する請求項３に記載の画像形成装置。
【請求項５】
前記チケット管理部は、同一のチケット番号を有するチケットについて、有効であると管理した回数が２回を超えることを検出した場合、当該有効であると管理した回数を示す数値を前記チェックシートに記憶させる請求項４に記載の画像形成装置。
【請求項６】
前記表示制御部は、前記チケット管理部が管理しているチケットのチケット番号及び当該チケットの管理内容を前記表示部に表示させる請求項３乃至請求項５のいずれかに記載の画像形成装置。
【発明の詳細な説明】
【技術分野】
【０００１】
本発明は、画像形成装置に関し、特に識別画像が付加されたチケットを印刷して、管理する技術に関する。
【背景技術】
【０００２】
画像形成装置では、偽造を防止するために、チケットを識別する識別画像としての識別情報を当該チケット上に印刷することが提案されている。例えば、下記特許文献１には、他のチケットと識別するための識別情報が付加された画像データを用紙に印刷することにより、チケットを作成することが記載されている。
【先行技術文献】
【特許文献】
【０００３】
【特許文献１】特開２００９−２９８１０６号公報
【発明の概要】
【発明が解決しようとする課題】
【０００４】
しかしながら、上記画像形成装置では、ユーザーが操作パネルを操作することにより、上記識別情報を作成していた。このため、上記画像形成装置では、例えば、チケット毎に識別情報（識別画像）を変更して作成する場合、多数のチケットを容易に作成することは困難であった。
【０００５】
本発明は、上記の事情に鑑みてなされたものであり、識別画像が異なる多数のチケットを容易に作成することを可能にすることを目的とする。
【課題を解決するための手段】
【０００６】
本発明の一局面に係る画像形成装置は、ユーザーからの操作指示を受け付ける操作受付部と、チケットの原稿を読み取る原稿読取部と、記録媒体に対して印刷処理を行う印刷部と、ユーザーからチケットの発行枚数の指定、予め定められた暗号キーの指定、及び予め定められた暗号化方式の指定を前記操作受付部が受け付けた場合、指定された前記発行枚数の各チケットに順次割り振られたチケット番号について、指定された前記暗号キー及び指定された前記暗号化方式を用いて、前記指定された発行枚数のチケット毎に暗号化した暗号番号を作成する暗号番号作成部と、前記暗号番号作成部が前記チケット毎の前記暗号番号を作成した場合、前記チケット毎に作成されたチケットの前記暗号番号が格納されるとともに、当該チケットと他のチケットとを識別する識別画像を前記チケット毎に作成する識別画像作成部と、前記指定された発行枚数の各チケットにおいて、前記識別画像作成部が作成した前記各チケットについての前記識別画像を、それぞれ前記原稿読取部で読み取られた前記チケットの原稿の画像データに付加することで前記指定された発行枚数分の各チケットの印刷処理を前記印刷部に行わせる制御部と、を備えるものである。
【発明の効果】
【０００７】
本発明によれば、識別画像が異なる多数のチケットを容易に作成することを可能にする。
【図面の簡単な説明】
【０００８】
【図１】本発明の一実施形態に係る画像形成装置の要部構成を示す機能ブロック図である。
【図２】画像形成装置での処理の流れを示すフローチャートである。
【図３】画像形成装置の表示部に表示される表示画面の一例を示した図である。
【図４】画像形成装置の表示部に表示される表示画面の一例を示した図である。
【図５】画像形成装置の表示部に表示される表示画面の一例を示した図である。
【図６】画像形成装置の表示部に表示される表示画面の一例を示した図である。
【図７】画像形成装置の記憶部に記憶されるデータの一例を示した図である。
【図８】画像形成装置の表示部に表示される表示画面の一例を示した図である。
【図９】画像形成装置での他の処理の流れを示すフローチャートである。
【図１０】画像形成装置の記憶部に記憶されるデータの一例を示した図である。
【図１１】画像形成装置でのチケットの読み取り動作を説明する図である。
【図１２】画像形成装置の表示部に表示される表示画面の一例を示した図である。
【発明を実施するための形態】
【０００９】
以下、本発明に係る画像形成装置の一実施形態について図面を参照して説明する。図１は、本発明の一実施形態に係る画像形成装置の要部構成を示す機能ブロック図である。
【００１０】
図１に示すように、画像形成装置１は、例えば、コピー機能、プリンター機能、スキャナー機能、及びファクシミリ機能のような複数の機能を兼ね備えた複合機である。また、画像形成装置１は、音楽、演劇、スポーツ等の各種公演やテーマパークの入場券などのチケットを印刷するチケット印刷モードを実行することにより、チケットを識別するとともに、チケットの偽造の防止に用いられる識別画像をチケットに付加して、当該チケットを作成する。また、画像形成装置１は、チケットの管理を行うチケット管理モードを実行することにより、識別画像が付加（印刷）されたチケットについて、当該識別画像に基づきチケットが有効か否かを判別して、当該チケットの有効性を管理する。
【００１１】
また、画像形成装置１は、制御ユニット１０、原稿給送部３１、原稿読取部３２、印刷部３３、画像メモリー３４、画像処理部３５、表示部５１、タッチパネル５２、操作部５３、通信部５４、及び記憶部５５を備えて構成されている。
【００１２】
画像形成装置１が原稿読取動作を行う場合、原稿給送部３１により給送されてくる原稿の画像等を原稿読取部３２が光学的に読み取り、画像データを生成する。
【００１３】
画像形成装置１が画像形成動作（すなわち、印刷動作）を行う場合は、上記原稿読取動作により生成された画像データ等に基づいて、制御ユニット１０の後述の制御部が、図略の給紙カセット等から給紙される記録媒体としての記録紙に対する印刷処理を印刷部３３に実行させて、当該記録紙上に画像を形成する。
【００１４】
原稿読取部３２は、制御ユニット１０による制御の下、光照射部及びＣＣＤセンサー等を有する読取機構を備える（図示せず）。原稿読取部３２は、光照射部により原稿を照射し、その反射光をＣＣＤセンサーで受光することにより、原稿から画像を読み取り、画像データを生成する。また、原稿読取部３２は、上記チケット印刷モードで印刷されるチケットの原稿（つまり、上記識別画像が印刷されていないチケット）を読み取り、その画像データを生成する。
【００１５】
画像メモリー３４は、原稿読取部３２による読取で得られた原稿画像の画像データを一時的に記憶したり、印刷部３３のプリント対象となるプリント処理（印刷処理）用のデータを一時的に保存したりする領域である。
【００１６】
画像処理部３５は、画像メモリー３４から原稿読取部３２で読み取られた画像を読み出して画像処理する。例えば、画像処理部３５は、原稿読取部３２により読み取られた画像が印刷部３３により画像形成された後の品質を向上させるために、シェーディング補正等の予め定められた画像処理を行う。
【００１７】
印刷部３３は、原稿読取部３２で読み取られた画像データ等の画像形成を行う。具体的には、印刷部３３が例えばカラー印刷を行う場合、印刷部３３のマゼンタ用の画像形成ユニット、シアン用の画像形成ユニット、イエロー用の画像形成ユニット、及びブラック用の画像形成ユニットは、それぞれに、上記印刷用データを構成するそれぞれの色成分からなる画像に基づいて、帯電、露光、及び現像の工程により感光体ドラム上にトナー像を形成し、当該トナー像を一次転写ローラーにより中間転写ベルト上に転写させる（図示せず）。
【００１８】
上記の中間転写ベルト上に転写される上記各色のトナー画像は、転写タイミングを調整して中間転写ベルト上で重ね合わされ、カラーのトナー像となる。２次転写ローラーは、中間転写ベルトの表面に形成された当該カラーのトナー像を、中間転写ベルトを挟んで駆動ローラーとのニップ部において、上記の給紙部から搬送路を搬送されてきた記録紙に転写させる（図示せず）。この後、定着部が、記録紙上のトナー像を、熱圧着により記録紙に定着させる（図示せず）。定着処理の完了したカラー画像形成済みの記録紙は、図略の排出トレイに排出される。
【００１９】
表示部５１は、液晶ディスプレイや有機ＥＬディスプレイ等から構成される。
【００２０】
表示部５１の前面には、タッチパネル５２が配置されている。タッチパネル５２は、所謂抵抗膜方式や静電容量方式等のタッチパネルであって、タッチパネル５２上におけるユーザーによる接触（タッチ）をその接触位置とともに検知する。タッチパネル５２は、ユーザーによる接触を検知すると、その接触点の座標位置を示す検知信号を上記制御部などに出力する。
【００２１】
操作部５３は、例えば、メニューを呼び出すメニューキー、メニューを構成するＧＵＩのフォーカスを移動させる矢印キー、メニューを構成するＧＵＩに対して確定操作を行う決定キー等を備えるハードキーである。尚、タッチパネル５２と操作部５３とは、特許請求の範囲における操作受付部の一例である。
【００２２】
通信部５４は、ＬＡＮボード等の通信モジュールを有しており、上記制御部等の制御のもと、当該通信部５４に接続されたネットワークを通じて、情報処理装置等との間で種々のデータ通信を行う。
【００２３】
記憶部５５は、ＨＤＤ（Hard Disk Drive）やＳＳＤ（Solid State Drive）等の大容量の記憶装置である。また、記憶部５５は、ユーザーからチケットの発行枚数の指定、予め定められた暗号キーの指定、及び予め定められた暗号化方式の指定を上記操作受付部が受け付けた場合、指定された発行枚数、指定された暗号キー、及び指定された暗号化方式と、後述のチケット番号とを当該チケットの種類毎に予め記憶する。
【００２４】
制御ユニット１０は、ＣＰＵ、ＲＯＭ及びＲＡＭ等からなり、画像形成装置１の全体的な動作を司る。制御ユニット１０は、制御部１１、表示制御部１２、暗号番号作成部１３、識別画像作成部１４、入力要求部１５、特定部１６、識別画像検出部１７、暗号番号抽出部１８、チケット番号取得部１９、判別部２０、及びチケット管理部２１を備えている。
【００２５】
制御ユニット１０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、又はＡＳＩＣである。この制御ユニット１０は、上記記憶部５５等に記憶された動作プログラムが上記のプロセッサーで実行されることにより、制御部１１、表示制御部１２、暗号番号作成部１３、識別画像作成部１４、入力要求部１５、特定部１６、識別画像検出部１７、暗号番号抽出部１８、チケット番号取得部１９、判別部２０、及びチケット管理部２１として機能する。尚、制御部１１、表示制御部１２、暗号番号作成部１３、識別画像作成部１４、入力要求部１５、特定部１６、識別画像検出部１７、暗号番号抽出部１８、チケット番号取得部１９、判別部２０、及びチケット管理部２１は、上記動作プログラムに基づく動作によらず、それぞれハード回路により構成されてもよい。以下、特に触れない限り、各実施形態について同様である。
【００２６】
制御部１１は、画像形成装置１の全体的な動作を司るものであり、原稿給送部３１、原稿読取部３２、印刷部３３、画像メモリー３４、画像処理部３５、表示部５１、タッチパネル５２、操作部５３、通信部５４、及び記憶部５５等と接続され、これら各部の駆動制御を行う。
【００２７】
表示制御部１２は、表示部５１による表示動作を制御する機能を有する。
【００２８】
暗号番号作成部１３は、ユーザーからチケットの発行枚数の指定、予め定められた暗号キーの指定、及び予め定められた暗号化方式の指定を上記操作受付部が受け付けた場合、指定された発行枚数の各チケットに順次割り振られたチケット番号について、指定された暗号キー及び指定された暗号化方式を用いて、指定された発行枚数のチケット毎に暗号化した暗号番号を作成する。すなわち、暗号番号作成部１３は、例えば、チケットの発行枚数として、５０００枚が指定された場合、この５０００枚のチケットに順次割り振られたチケット番号Ｎ（Ｎは、１〜５０００のいずれかの整数）について、指定された暗号キーを用いて、指定された暗号化方式によって定まる暗号化処理を行うことにより、チケット番号Ｎを暗号化して暗号番号（例えば、アルファベット及び数字からなる１５桁の暗号番号）を得る。
【００２９】
また、上記暗号キーには、例えば、チケットの対価となるイベントの名称（例えば、「第３４回、大阪公演」）が用いられている。また、上記暗号化方式には、例えば、ＡＥＳ（Advanced Encryption Standard）、ＤＥＳ（Data Encryption Standard）、Ｂｌｏｗｆｉｓｈ、又はＴｗｏｆｉｓｈが用いられている。
【００３０】
識別画像作成部１４は、暗号番号作成部１３がチケット毎の暗号番号を作成した場合、チケット毎に作成されたチケットの暗号番号が格納されるとともに、当該チケットと他のチケットとを識別する識別画像をチケット毎に作成する。また、識別画像には、例えば、ＱＲコード（登録商標）やバーコードが使用されている。また、識別画像作成部１４は、後に詳述するように、上記操作受付部がユーザーから作成する識別画像の種類の指定（つまり、上記ＱＲコード又はバーコードの指定）を受け付けた場合、指定された種類の識別画像において、上記暗号番号を埋め込んで、この暗号番号に対応するチケットの当該識別画像を作成する。
【００３１】
表示制御部１２は、上記識別画像が作成された場合、作成された識別画像と原稿読取部３２での読み取り動作で得られたチケットの原稿の画像データとを用いて、印刷処理が行われる各チケットを示す画像における当該識別画像の配置位置を例示するプレビュー画像を表示部５１に表示させる。また、表示制御部１２は、上記プレビュー画像においてユーザーから識別画像の配置位置の変更の指示を上記操作受付部が受け付けた場合、指示された配置位置に当該識別画像を配置した変更後のプレビュー画像を表示部５１に表示させる。
【００３２】
制御部１１は、上記プレビュー画像の表示時にユーザーから識別画像の配置位置を決定する指示を上記操作受付部が受け付けた場合、当該指示により決定された配置位置に識別画像を配置したチケットの印刷処理を印刷部３３に行わせる。また、制御部１１は、当該チケットの印刷処理を行わせる場合、指定された発行枚数の各チケットにおいて、識別画像作成部１４が作成した各チケットについての識別画像を、それぞれ原稿読取部３２で読み取られたチケットの原稿の画像データに付加することで指定された発行枚数分の各チケットの印刷処理を印刷部３３に行わせる。
【００３３】
入力要求部１５は、ユーザーから予め定められたチケットに関する管理処理の指示（つまり、上記チケット管理モードの実行の指示）を上記操作受付部が受け付けた場合、当該ユーザーに対し、当該チケットの発行枚数、当該チケットに用いられた暗号キー、及び当該チケットに用いられた暗号化方式の入力を要求する。
【００３４】
特定部１６は、ユーザーからチケットの発行枚数、チケットに用いられた暗号キー、及びチケットに用いられた暗号化方式の入力を上記操作受付部が受け付けた場合、入力された発行枚数、入力された暗号キー、及び入力された暗号化方式から管理処理の対象とするチケットの種類を特定する。例えば、特定部１６は、発行枚数として「１０００枚」、暗号キーとして「２０１７サマーフェス」、及び暗号化方式として「ＤＥＳ」が入力された場合、管理処理の対象とするチケットの種類として、１０００枚が発行された、２０１７サマーフェスの名称のチケットであって、１から１０００までのいずれかのチケット番号がＤＥＳの暗号化方式で暗号化された暗号番号を格納した識別画像が印刷されているチケットであるとする。
【００３５】
識別画像検出部１７は、原稿読取部３２で読み取られたチケットの画像データから識別画像を検出する。例えば、識別画像検出部１７は、上記画像データについて、パターンマッチングを行うことにより、チケットに印刷（付加）されたバーコード又はＱＲコードからなる識別画像を検出する。
【００３６】
暗号番号抽出部１８は、識別画像検出部１７が検出した識別画像（バーコード又はＱＲコード）を解析することにより、当該識別画像から上記暗号番号を抽出する。
【００３７】
チケット番号取得部１９は、暗号番号抽出部１８が抽出した暗号番号について、入力された暗号キー及び入力された暗号化方式を用いて復号することにより、チケットのチケット番号を取得する。
【００３８】
判別部２０は、チケット番号取得部１９が取得したチケット番号と、記憶部５５に記憶されている、特定部１６が特定したチケットの種類に対応したチケット番号とが一致するか否かを判別する。
【００３９】
チケット管理部２１は、チケット番号取得部１９が取得したチケット番号と、記憶部５５に記憶されているチケット番号とが一致することが判別された場合、判別されたチケットが有効であると管理する。また、チケット管理部２１は、チケット番号取得部１９が取得したチケット番号と、記憶部５５に記憶されているチケット番号とが一致しないことが判別された場合に、判別されたチケットが無効であると管理する。
【００４０】
また、チケット管理部２１は、管理処理の対象とするチケットの種類を特定部１６が特定した場合、チケットの発行枚数に基づき、そのチケットのチケット番号毎に当該チケットを有効であると管理した履歴を記憶するチェックシートを作成し、記憶部５５に記憶させる。更に、チケット管理部２１は、記憶部５５に記憶されているチェックシートを参照することにより、同一のチケット番号を有するチケットについて、有効であると管理した回数が２回を超えることを検出した場合、当該チケットが重複して印刷されていると判断する。更に、チケット管理部１２は、同一のチケット番号を有するチケットについて、有効であると管理した回数が２回を超えることを検出した場合、当該有効であると管理した回数を示す数値を上記チェックシートに記憶させる。
【００４１】
表示制御部１２は、チケット管理部２１が管理しているチケットのチケット番号及び当該チケットの管理内容を表示部５１に表示させる。例えば、表示制御部１２は、チケット管理部２１がチケットについて、「有効である」、「無効である」、又は「重複して印刷されている」と管理した場合、そのチケット番号及びその管理内容を互いに関連付けた表示を表示部５１に行わせる。
【００４２】
次に、図２乃至図１２を参照して、本実施形態の画像形成装置１の動作について具体的に説明する。尚、以下の説明では、画像形成装置１において、上記チケット印刷モードが実行された場合での動作と、上記チケット管理モードが実行された場合での動作について主に説明する。
【００４３】
まず図２を用いて、本実施形態の画像形成装置１において、チケット印刷モードが実行された場合での動作について説明する。図２は、画像形成装置での処理の流れを示すフローチャートである。尚、以下の説明では、上記暗号キーとして、チケットの対価となるイベントの名称である、例えば「２０１７サマーフェス」が用いられる場合を例示して説明する。
【００４４】
図２に示すように、制御部１１は、ユーザーにより、チケット印刷モードの実行を指示する要求を上記操作受付部が受け付けたかどうかを判別する（Ｓ１）。例えば、制御部１１は、表示制御部１２が、図３に示すように、ユーザーに処理動作の指示を促す表示を表示部５１に行わせたときに、チケット印刷モードキー５２Ａがユーザーに指定されたかどうかを検出することにより、チケット印刷モードの実行を指示する要求が行われたかどうかを判別する。制御部１１は、チケット印刷モードキー５２Ａが指定されたことをタッチパネル５２が検出していなければ（Ｓ１でＮＯ）、Ｓ２には進まずに、画像形成装置１を待機状態とする。
【００４５】
一方、制御部１１は、ユーザーによりチケット印刷モードキー５２Ａが指定され、タッチパネル５２により受け付けられたことを検出した場合（Ｓ１でＹＥＳ）、チケット印刷モードの実行が要求されたと判断する。そして、表示制御部１２は、例えば、図４に示すように、ユーザーに対して、当該ユーザーが印刷処理を所望するチケットについての原稿の読み取り動作を促す表示を表示部５１に行わせる。その後、制御部１１は、図４に示した表示画面において、ユーザーによりＯＫボタンが押下され、タッチパネル５２により受け付けられたことを検出した場合、原稿読取部３２にチケットの原稿の読み取り動作を行わせて（Ｓ２）、読み取られた画像データを画像メモリー３４に記憶する。
【００４６】
続いて、制御部１１は、ユーザーにより、印刷処理に用いる記録紙のサイズの指定、及び一枚の当該記録紙に印刷処理して作成するチケットの枚数の指定を上記操作受付部が受け付けたかどうかを判別する（Ｓ３）。例えば、表示制御部１２は、図５に示すように、上記記録紙のサイズの指定、及び上記チケットの枚数の指定を促す表示を表示部５１に行わせる。つまり、表示制御部１２は、図５の表示画面に示すように、ユーザーが記録紙のサイズを指定するプルダウンメニュー５２Ｃを表示部５１に表示させる。
【００４７】
また、表示制御部１２は、図５の表示画面に示すように、一枚の記録紙に作成されるチケットの行の指定及び列の指定を促す表示、例えば、「２行ｘ１列」をユーザーが指定可能とするためのチェック欄５２Ｄ１を表示させる。同様に、「２行ｘ２列」に対応するチェック欄５２Ｄ２、「２行ｘ３列」に対応するチェック欄５２Ｄ３、「２行ｘ４列」に対応するチェック欄５２Ｄ４、「３行ｘ１列」に対応するチェック欄５２Ｄ５、「３行ｘ２列」に対応するチェック欄５２Ｄ６、「３行ｘ３列」に対応するチェック欄５２Ｄ７、及び「３行ｘ４列」に対応するチェック欄５２Ｄ８をそれぞれ表示部５１に表示させる。そして、表示制御部１２は、例えば、図５の表示画面に示すように、プルダウンメニュー５２Ｃが押下されて、「Ａ４」がユーザーに指定されたこと、及びチェック欄５２Ｄ６がユーザーに指定されたことをタッチパネル５２により受け付けられたことを検出した場合、それらの指定された記録紙のサイズ及びチケットの枚数を基に作成したプレビュー画像を表示部５１のプレビュー表示欄５２Ｅに表示させる。
【００４８】
例えば、表示制御部１２は、図５の表示画面に示すように、記録紙ＫＳにおいて、３行及び２列に配置した合計６枚のチケットＴを示したプレビュー画像の表示をプレビュー表示欄５２Ｅに行わせる。尚、図５の表示画面では、図面の簡略化のために、６枚の各チケットＴにおいて、上記Ｓ２で読み取られたチケットの原稿の画像データによる画像の図示は省略している。
【００４９】
そして、制御部１１は、図５に示した表示画面において、ＯＫキー５２Ｚ１がユーザーに指定されたかどうかを検出することにより、上記記録紙のサイズの指定、及び上記チケットの枚数の指定が行われたかどうかを判別する。制御部１１は、ＯＫキー５２Ｚ１が指定されたことをタッチパネル５２が検出していなければ（Ｓ３でＮＯ）、Ｓ４には進まずに、画像形成装置１を待機状態とする。
【００５０】
一方、制御部１１は、ユーザーによりＯＫキー５２Ｚ１が指定され、タッチパネル５２により受け付けられたことを検出した場合（Ｓ３でＹＥＳ）、一枚の記録紙に作成されるチケットの枚数がユーザーにより指定されたと判断する。そして、制御部１１は、ユーザーにより、チケットの発行枚数の指定、上記暗号キーの指定、上記暗号化方式の指定、及び上記識別画像の種類の指定を上記操作受付部が受け付けたかどうかを判別する（Ｓ４）。例えば、表示制御部１２は、図６に示すように、チケットの発行枚数の指定、暗号キーの指定、暗号化方式の指定、及び識別画像の種類の指定を促す表示を表示部５１に行わせる。つまり、表示制御部１２は、図６の表示画面に示すように、ユーザーが図略のテンキーを用いることによりチケットの発行枚数を指定する指定欄５２Ｆを表示部５１に表示させる。また、表示制御部１２は、図６の表示画面に示すように、ユーザーが図略のテンキー及び文字入力キーを用いることにより暗号キーを指定する指定欄５２Ｇを表示部５１に表示させる。
【００５１】
また、表示制御部１２は、図６の表示画面に示すように、暗号化方式の指定を促す表示、つまり「ＡＥＳ」をユーザーが指定可能とするためのチェック欄５２Ｈ１、「ＤＥＳ」に対応するチェック欄５２Ｈ２、「Ｂｌｏｗｆｉｓｈ」に対応するチェック欄５２Ｈ３、及び「Ｔｗｏｆｉｓｈ」に対応するチェック欄５２Ｈ４を表示部５１に表示させる。また、表示制御部１２は、図６の表示画面に示すように、識別画像の種類の指定を促す表示、つまり「バーコード」をユーザーが指定可能とするためのチェック欄５２Ｊ１、及び「ＱＲコード」をユーザーが指定可能とするためのチェック欄５２Ｊ２を表示部５１に表示させる。
【００５２】
そして、制御部１１は、図６に示した表示画面において、指定欄５２Ｆにチケットの枚数が指定されたこと、指定欄５２Ｇに暗号キーが指定されたこと、暗号化方式のいずれかのチェック欄５２Ｈ１〜５２Ｈ４にチェックが指定されたこと、識別画像の種類のチェック欄５２Ｊ１又はチェック欄５２Ｊ２にチェックが指定されたこと、及びＯＫキー５２Ｚ２が指定されたことをタッチパネル５２が検出していなければ（Ｓ４でＮＯ）、Ｓ５には進まずに、画像形成装置１を待機状態とする。
【００５３】
一方、制御部１１は、例えば、図６の表示画面に示すように、指定欄５２Ｆにチケットの発行枚数として「１０００」枚がユーザーに指定されたこと、指定欄５２Ｇに暗号キーとして「２０１７サマーフェス」が指定されたこと、チェック欄５２Ｈ２及びチェック欄５２Ｊ２がユーザーに指定されたこと、及びＯＫキー５２Ｚ２が指定されたことをタッチパネル５２が検出した場合（Ｓ４でＹＥＳ）、ユーザーにより、発行される１０００枚の各チケットにおいて、当該チケットを識別する識別画像の作成指示が要求されたと判断する。また、制御部１１は、ユーザーにより、指定されたチケットの発行枚数、指定された暗号キー、指定された暗号化方式、及び指定された識別画像の種類を当該チケットの種類毎に記憶部５５に記憶させる。
【００５４】
そして、暗号番号作成部１３は、上記Ｓ４で指定された発行枚数、暗号キー、及び暗号化方式を用いて、１０００枚の各チケットのチケット番号（例えば、チケット番号１〜チケット番号１０００）を暗号化した暗号番号を作成する（Ｓ５）。また、暗号番号作成部１３は、例えば、図７に示すように、記憶部５５に設定された記憶領域５５Ｄに対して、上記Ｓ４で指定された発行枚数、暗号キー、及び暗号化方式に関連付けて、作成した暗号番号を記憶させる。また、暗号番号作成部１３は、図７に例示するように、チケット番号毎に、異なる暗号番号を作成する。また、記憶領域５５Ｄには、上記チケット管理モードにおいて、管理対象となるチケット（すなわち、チケット印刷モードで作成されたチケット）の種類毎に、上記発行枚数、暗号キー、暗号化方式、チケット番号、及び暗号番号を関連付けて記憶したデータベース（図７）が記憶される。
【００５５】
続いて、識別画像作成部１４は、上記Ｓ４で指定された識別画像の種類（ＱＲコード）を用いて、上記Ｓ５で作成されたチケット毎の暗号番号を埋め込んだ識別画像を対応するチケット毎に作成する（Ｓ６）。例えば、識別画像作成部１４は、チケット番号１のチケットの識別画像として、当該チケット番号１のチケットに対して作成された暗号番号「ＡＢＣ３２６７９４９３７１４８」（図７）を埋め込んだＱＲコードを作成する。また、識別画像作成部１４は、作成した識別画像を示す画像データを、チケット番号等に関連付けて、記憶部５５に記憶させる。
【００５６】
その後、表示制御部１２は、ユーザーに対し、チケットでの上記Ｓ６で作成された識別画像の配置位置の指示を促す表示を表示部５１に行わせる。例えば、表示制御部１２は、図６の表示画面に示すように、表示部５１に設けられた表示欄５２Ｋにおいて、上記Ｓ２での読み取り動作で得られたチケットＴの画像データと、上記Ｓ６で作成された識別画像Ｓの画像データとを用いて、印刷処理が行われるチケットＴを示す画像における当該識別画像Ｓの配置位置を例示するプレビュー画像の表示を行わせる。
【００５７】
そして、表示制御部１２は、例えば、表示欄５２Ｋに表示している識別画像Ｓに対して、ユーザーによるドラッグ操作が行われたかどうかを検出することにより、上記プレビュー画像においてユーザーから識別画像Ｓの配置位置の変更の指示を上記操作受付部が受け付けたかどうかを判別する（Ｓ８）。表示制御部１２は、識別画像Ｓの配置位置の変更の指示をタッチパネル５２が受け付けなければ（Ｓ８でＮＯ）、処理は後述のＳ１０に進む。
【００５８】
一方、表示制御部１２は、識別画像Ｓの配置位置の変更の指示をタッチパネル５２が受け付けた場合（Ｓ８でＹＥＳ）、指示された配置位置に当該識別画像Ｓを配置した変更後のプレビュー画像を表示欄５２Ｋに表示させる。その後、制御部１１は、例えば、図６の表示画面において、ユーザーにより、ＯＫキー５２Ｚ２又は戻るキー５２Ｚ３が指定されたかどうかを検出することにより、識別画像Ｓの配置位置の決定が指示されたかどうかを判別する（Ｓ１０）。制御部１１は、ユーザーにより、戻るキー５２Ｚ３が指定されたことをタッチパネル５２が検出した場合（Ｓ１０でＮＯ）、処理は上記Ｓ８に戻って処理をやり直す。
【００５９】
一方、制御部１１は、ユーザーにより、ＯＫキー５２Ｚ２が指定されたことをタッチパネル５２が検出した場合（Ｓ１０でＹＥＳ）、チケットＴでの識別画像Ｓの配置位置の決定がユーザーによって行われたと判断する。そして、表示制御部１２は、例えば、図８に示すように、ユーザーに対して、チケットＴについての印刷処理の内容（例えば、図８の表示画面での（１）〜（４）に示す印刷処理の内容）の確認を促す表示を表示部５１に行わせる（Ｓ１１）。
【００６０】
続いて、制御部１１は、例えば、図８の表示画面において、ユーザーにより、ＯＫキー５２Ｚ４又は戻るキー５２Ｚ５が指定されたかどうかを検出することにより、ユーザーからチケットＴの印刷処理の実行が指示されたどうかを判別する（Ｓ１２）。制御部１１は、ユーザーにより、戻るキー５２Ｚ５が指定されたことをタッチパネル５２が検出した場合（Ｓ１２でＮＯ）、処理は上記Ｓ４に戻って処理をやり直す。
【００６１】
一方、制御部１１は、ユーザーにより、ＯＫキー５２Ｚ４が指定されたことをタッチパネル５２が検出した場合（Ｓ１２でＹＥＳ）、図８の表示画面に例示した内容での印刷処理の実行がユーザーから指示されたと判断する。そして、制御部１１は、識別画像Ｓの画像データが付加されたチケットＴの画像データに基づく印刷処理を印刷部３３に行わせる（Ｓ１３）。例えば、制御部１１は、１０００枚の各チケットにおいて、識別画像作成部１４が作成した各チケットについての識別画像を、それぞれ原稿読取部３２で読み取られたチケットの原稿の画像データに付加することで指定された発行枚数分の各チケットの印刷処理を印刷部３３に行わせる。
【００６２】
次に、図９を用いて、本実施形態の画像形成装置１において、チケット管理モードが実行された場合での動作について説明する。図９は、画像形成装置での他の処理の流れを示すフローチャートである。
【００６３】
図９に示すように、制御部１１は、ユーザーにより、チケット管理モードの実行を指示する要求を上記操作受付部が受け付けたかどうかを判別する（Ｓ２１）。例えば、制御部１１は、表示制御部１２が、図３に示すように、ユーザーに処理動作の指示を促す表示を表示部５１に行わせたときに、チケット管理モードキー５２Ｂがユーザーに指定されたかどうかを検出することにより、チケット管理モードの実行を指示する要求が行われたかどうかを判別する。制御部１１は、チケット管理モードキー５２Ｂが指定されたことをタッチパネル５２が検出していなければ（Ｓ２１でＮＯ）、Ｓ２２には進まずに、画像形成装置１を待機状態とする。
【００６４】
一方、制御部１１は、ユーザーによりチケット管理モードキー５２Ｂが指定され、タッチパネル５２により受け付けられたことを検出した場合（Ｓ２１でＹＥＳ）、チケット管理モードの実行が要求されたと判断する。そして、入力要求部１５は、ユーザーに対し、チケット管理モードでの管理対象となるチケットの発行枚数の入力、当該チケットに用いられた暗号キーの入力、及び当該チケットに用いられた暗号化方式の入力を要求する。例えば、入力要求部１５は、図６に示した表示画面を表示部５１に表示させることにより、上記発行枚数の入力、暗号キーの入力、及び暗号化方式の入力を要求する。更に、入力要求部１５は、同図６の表示画面に示すように、ユーザーに対し、管理対象となるチケットに用いられた識別画像の種類の入力を要求する。
【００６５】
尚、上記の説明以外に、入力要求部１５が、ユーザーに対し、上記識別画像の種類の入力要求を行うことなく、上記発行枚数、暗号キー、及び暗号化方式の入力要求を行う構成でもよい。ただし、上記のように、入力要求部１５が、ユーザーに対し、上記識別画像の種類の入力要求を行う場合の方が、後掲のＳ２６において、識別画像の種類が特定された状態で当該識別画像の検出処理を行うことが可能になり、当該検出処理を簡便に行うことができる点で好ましい。
【００６６】
続いて、制御部１１は、ユーザーにより、上記発行枚数の入力、暗号キーの入力、暗号化方式の入力、及び識別画像の種類の入力を上記操作受付部が受け付けたかどうかを判別する（Ｓ２２）。例えば、制御部１１は、図６に示した表示画面において、指定欄５２Ｆにチケットの枚数が指定されたこと、指定欄５２Ｇに暗号キーが指定されたこと、暗号化方式のいずれかのチェック欄５２Ｈ１〜５２Ｈ４にチェックが指定されたこと、識別画像の種類のチェック欄５２Ｊ１又はチェック欄５２Ｊ２にチェックが指定されたこと、及びＯＫキー５２Ｚ２が指定されたことをタッチパネル５２が検出していなければ（Ｓ２２でＮＯ）、Ｓ２３には進まずに、画像形成装置１を待機状態とする。
【００６７】
一方、制御部１１は、例えば、図６の表示画面に示すように、指定欄５２Ｆにチケットの発行枚数として「１０００」枚がユーザーに入力されたこと、指定欄５２Ｇに暗号キーとして「２０１７サマーフェス」が入力されたこと、チェック欄５２Ｈ２及びチェック欄５２Ｊ２がユーザーに入力されたこと、及びＯＫキー５２Ｚ２が指定されたことをタッチパネル５２が検出した場合（Ｓ２２でＹＥＳ）、ユーザーにより、管理対象となるチケットが指定されたと判断する。そして、特定部１６は、入力された発行枚数、入力された暗号キー、及び入力された暗号化方式から上記管理処理の対象とするチケットの種類を特定する（Ｓ２３）。すなわち、特定部１６は、１０００枚が発行された、２０１７サマーフェスの名称のチケットであって、１から１０００までのいずれかのチケット番号がＤＥＳの暗号化方式で暗号化された暗号番号を格納した識別画像が印刷されているチケットを、管理処理対象のチケットであるとする。
【００６８】
続いて、チケット管理部２１は、特定部１６が特定したチケットの種類について、そのチケットの発行枚数に基づき、そのチケットのチケット番号毎に当該チケットを有効であると管理した履歴を記憶するチェックシートを作成する（Ｓ２４）。そして、チケット管理部２１は、作成したチェックシートを記憶部５５に記憶させる。例えば、チケット管理部２１は、図１０に示すように、１〜１０００までのチケット番号のチケットについて、有効であると管理した履歴を示すデータベースからなるチェックシートを作成し、記憶部５５に設定された記憶領域５５Ｓに記憶させる。また、チケット管理部２１は、図１０に示すように、有効であると管理した、例えばチケット番号０３のチケット、チケット番号４４７のチケット、チケット番号５７３のチケット、及びチケット番号９２５のチケットについては、チェックシートにおいて、同図１０にクロスハッチ画像にて例示するように、予め定められた画像を用いて、マーキングすることにより、これらのチケットが有効であることを示す履歴を当該チェックシートに記憶させる。これにより、チケット管理部１２は、チケット番号０３、チケット番号４４７、チケット番号５７３、及びチケット番号９２５の各チケットについて、有効であると管理する。
【００６９】
続いて、制御部１１は、原稿読取部３２において、チケットの読み取り動作が行われたかどうかを判別する（Ｓ２５）。制御部１１は、原稿読取部３２での読み取り動作が検出されなければ（Ｓ２５でＮＯ）、Ｓ２６には進まずに、画像形成装置１を待機状態とする。
【００７０】
一方、制御部１１は、原稿読取部３２での読み取り動作を検出した場合（Ｓ２５でＹＥＳ）、管理処理の対象とするチケットの画像データが画像メモリー３４に記憶されたと判断する。例えば、図１１に示すように、原稿読取部３２に設けられた原稿台３２Ａに対し、７枚のチケットＴ１、Ｔ２、Ｔ３、Ｔ４、Ｔ５、Ｔ６、及びＴ７が設置され、原稿読取部３２での読み取り動作が行われると、これら７枚のチケットＴ１〜Ｔ７の画像データを含んだ画像データが画像メモリー３４に記憶される。尚、図１１に示す画像は、原稿読取部３２に設けられた図略の上記読取機構側から見たチケットＴ１〜Ｔ７の読み取り対象面を示す画像である。また、チケットＴ１〜Ｔ７の各々には、図１１に示すように、対応する識別画像Ｓ１〜Ｓ７が印刷されている。
【００７１】
そして、制御部１１は、画像メモリー３４に記憶された画像データについて、例えば、パターンマッチングを行うことにより、各チケットＴ１〜Ｔ７の輪郭を構成する矩形を検出して、７枚のチケットＴ１〜Ｔ７の画像データを含んだ画像データが画像メモリー３４に記憶されたと判断する。また、図１１に示すように、原稿台３２Ａには、当該原稿台３２Ａでの位置を特定するための指標、例えば「上」、「下」。「左」、及び「右」の各文字が設けられており、制御部１１は、画像メモリー３４に記憶された画像データについて、例えば、パターンマッチングを行うことにより、これらの文字の各画像データを検出して、検出した文字の各画像データの位置に基づいて、画像メモリー３４に記憶された画像データでのチケットＴ１〜Ｔ７の各画像データの位置を検出する。
【００７２】
続いて、識別画像検出部１７は、画像メモリー３４に記憶された画像データについて、パターンマッチングを行うことにより、チケット毎の識別画像を検出する（Ｓ２６）。例えば、識別画像検出部１７は、上記パターンマッチングの結果から７つの識別画像Ｓ１〜Ｓ７（図１１）を検出するとともに、検出した識別画像Ｓ１〜Ｓ７について、制御部１１が検出したチケットＴ１〜Ｔ７の各画像データの位置を用いて、これらの識別画像Ｓ１〜Ｓ７がそれぞれ印刷されている、対応するチケットＴ１〜Ｔ７を判別することにより、チケットＴ１〜Ｔ７毎の識別画像Ｓ１〜Ｓ７を検出する。
【００７３】
続いて、暗号番号抽出部１８は、識別画像検出部１７が検出した識別画像を解析することにより、当該識別画像から暗号番号を抽出する（Ｓ２７）。例えば、暗号番号抽出部１８は、識別画像Ｓ４（図１１）を解析することにより、当該識別画像Ｓ４に埋め込まれた暗号番号「８９０ＨＧＪＦＢ４１１３２１８」を抽出する。
【００７４】
続いて、チケット番号取得部１９は、暗号番号抽出部１８が抽出した暗号番号について、上記Ｓ２２で入力された暗号キー及び入力された暗号化方式を用いて復号することにより、チケットのチケット番号を取得する（Ｓ２８）。例えば、チケット番号取得部１９は、暗号キー「２０１７サマーフェス」及び暗号化方式「ＤＥＳ」を用いて、上記暗号番号「８９０ＨＧＪＦＢ４１１３２１８」を復号することにより、識別画像Ｓ４が印刷されているチケットＴ４（図１１）のチケット番号３を取得する。また、チケット番号取得部１９は、例えば、チケットＴ１のチケット番号２３、チケットＴ２のチケット番号９、チケットＴ３のチケット番号１７、チケットＴ５のチケット番号５４、チケットＴ６のチケット番号２７、及びチケットＴ７のチケット番号１２３４を取得する。
【００７５】
続いて、判別部２０は、チケット番号取得部１９が取得したチケット番号が記憶部５５に記憶されている、特定部１６が特定したチケットの種類に対応したチケット番号に一致するか否かを判別する（Ｓ２９）。例えば、判別部２０は、取得したチケット番号３が記憶部５５の記憶領域５５Ｄ（図７）に記憶されているチケット番号に一致するか否かについて判別する。チケット管理部２１は、チケット番号取得部１９が取得したチケット番号が記憶部５５に記憶されているチケット番号に一致することが判別された場合（Ｓ２９でＹＥＳ）、上記チェックシート（図１０）を参照することにより、一致したチケット番号のチケットが既に有効であると管理されている履歴が有るかどうかを判別する（Ｓ３０）。
【００７６】
そして、チケット管理部２１は、上記一致したチケット番号のチケットが既に有効であると管理されていなければ（Ｓ３０でＮＯ）、当該チケット番号のチケットが有効であると判断して管理する（Ｓ３１）。例えば、チケット管理部２１は、チェックシート（図１０）の参照結果により、チケット番号２３のチケットＴ１、チケット番号９のチケットＴ２、チケット番号１７のチケットＴ３、チケット番号５４のチケットＴ５、及びチケット番号２７のチケットＴ６を有効であると管理する。そして、処理は、後述のＳ３２に進む。
【００７７】
一方、チケット管理部２１は、チケット番号取得部１９が取得したチケット番号が記憶部５５に記憶されているチケット番号に一致しないことが判別された場合（Ｓ２９でＮＯ）、この取得したチケット番号のチケットが無効であると管理する（Ｓ３３）。例えば、チケット管理部２１は、判別部２０において、取得したチケット番号１２３４が記憶部５５の記憶領域５５Ｄ（図７）に記憶されているチケット番号に一致しないことが判別されれば、当該チケット番号１２３４に対応する識別画像Ｓ７を具備するチケットＴ７が無効であると判断して管理する。そして、処理は、後述のＳ３２に進む。
【００７８】
また、チケット管理部２１は、上記一致したチケット番号のチケットが既に有効であると管理されていることを判別すれば（Ｓ３０でＹＥＳ）、当該チケットが重複して印刷されていると判断して管理する（Ｓ３４）。例えば、チケット管理部２１は、チケット番号３のチケットＴ４が上記チェックシートにおいて、既に有効であると管理されていることを判別すれば、当該チケット４は重複して印刷されていると判断して管理する。例えば、チケット管理部１２は、当該チケット番号３のチケットＴ４が無効でないと判断するとともに、既に有効であると管理されているとして、同じチケット番号３のチケットが２枚存在すると判断して管理する。更に、チケット管理部１２は、図１０のチェックシートに示すように、チケット番号３のチケットについて、有効であると管理した回数を示す数値「２」を当該チェックシートのチケット番号３に対応する箇所に記憶させて管理する。
【００７９】
その後、表示制御部１２は、チケット管理部２１が管理しているチケットのチケット番号及び当該チケットの管理内容を表示部５１に表示させる（Ｓ３２）。例えば、表示制御部１２は、図１２に示すように、表示部５１に設けた表示欄５２Ｍにおいて、チケット管理部２１が有効であると管理しているチケット番号２３のチケットＴ１、チケット番号９のチケットＴ２、チケット番号１７のチケットＴ３、チケット番号５４のチケットＴ５、及びチケット番号２７のチケットＴ６については、ハッチングなしで表示させる。また、表示制御部１２は、チケット管理部２１が無効であると管理しているチケット番号１２３４のチケットＴ７、及び重複して印刷されていると判断して管理しているチケット番号３のチケットＴ４については、各々予め定められたハッチングを用いて、表示させる。また、表示制御部１２は、図１２に示すように、表示欄５２Ｍにおいて、原稿台３２Ａに設けられた上記指標としての「上」、「下」。「左」、及び「右」の各文字（図１１）を表示させる。これにより、本実施形態では、ユーザーに対して、読み取り動作が行われたチケットＴ１〜Ｔ７の各チケットを容易に判別させることが可能になる。
【００８０】
更に、表示制御部１２は、チケット管理部２１が重複して印刷されていると判断して管理しているチケット、及び無効であると管理しているチケットについて、ユーザーに対して、警告する旨のメッセージを表示部５１に表示させる。例えば、表示制御部１２は、図１２に示すように、表示部５１に設けた表示欄５２Ｌにおいて、Ｔ４のチケットは重複している旨の警告のメッセージを表示させるとともに、Ｔ７のチケットは無効である旨の警告のメッセージを表示させる。
【００８１】
以上のように本実施形態では、暗号番号作成部１３はユーザーからチケットの発行枚数の指定、予め定められた暗号キーの指定、及び予め定められた暗号化方式の指定を上記操作受付部が受け付けた場合、指定された発行枚数の各チケットに順次割り振られたチケット番号について、指定された暗号キー及び指定された暗号化方式を用いて、指定された発行枚数のチケット毎に暗号化した暗号番号を作成する。識別画像作成部１４は、暗号番号作成部１３がチケット毎の暗号番号を作成した場合、チケット毎に作成されたチケットの暗号番号が格納されるとともに、当該チケットと他のチケットとを識別する識別画像をチケット毎に作成する。制御部１１は、指定された発行枚数の各チケットにおいて、識別画像作成部１４が作成した各チケットについての識別画像を、それぞれ原稿読取部３２で読み取られたチケットの原稿の画像データに付加することで指定された発行枚数分の各チケットの印刷処理を印刷部３３に行わせる。これにより、本実施形態では、上記従来例と異なり、画像形成装置１において、識別画像が異なる多数のチケットを容易に作成することが可能になる。
【００８２】
また、本実施形態では、表示制御部１２は識別画像が作成された場合に、図６に示したように、作成された識別画像と画像データとを用いて、印刷処理が行われる各チケットを示す画像における当該識別画像の配置位置を例示するプレビュー画像を表示部５１に表示させる。また、表示制御部１２は、プレビュー画像においてユーザーから識別画像の配置位置の変更の指示を上記操作受付部が受け付けた場合、指示された配置位置に識別画像を配置した変更後のプレビュー画像を表示部５１に表示させる。そして、制御部は、プレビュー画像の表示時にユーザーから識別画像の配置位置を決定する指示を上記操作受付部が受け付けた場合、当該指示により決定された配置位置に識別画像を配置したチケットの印刷処理を印刷部３３に行わせる。
【００８３】
また、本実施形態では、記憶部５５は、図７に示したように、指定された発行枚数、指定された暗号キー、及び指定された暗号化方式と、チケット番号とをチケットの種類毎に予め記憶する。入力要求部１５は、ユーザーから予め定められたチケットに関する管理処理の指示を上記操作受付部が受け付けた場合、当該ユーザーに対し、当該チケットの発行枚数、当該チケットに用いられた暗号キー、及び当該チケットに用いられた暗号化方式の入力を要求する。特定部１６は、ユーザーからチケットの発行枚数、チケットに用いられた暗号キー、及びチケットに用いられた暗号化方式の入力を上記操作受付部が受け付けた場合、入力された発行枚数、入力された暗号キー、及び入力された暗号化方式から管理処理の対象とするチケットの種類を特定する。識別画像検出部１７は、原稿読取部３２で読み取られたチケットの画像データから識別画像を検出する。暗号番号抽出部１８は、識別画像検出部１７が検出した識別画像を解析することにより、当該識別画像から暗号番号を抽出する。チケット番号取得部１９は、暗号番号抽出部１８が抽出した暗号番号について、入力された暗号キー及び入力された暗号化方式を用いて復号することにより、チケット番号を取得する。判別部２０は，チケット番号取得部１９が取得したチケット番号と、記憶部５５に記憶されている、特定部１６が特定したチケットの種類に対応したチケット番号とが一致するか否かを判別する。チケット管理部２１は、判別部２０において、取得したチケット番号と、記憶部５５に記憶されているチケット番号とが一致することが判別された場合、判別されたチケットが有効であると管理する。これにより、本実施形態では、印刷されたチケットの有効性について管理することができる。
【００８４】
また、本実施形態では、チケット管理部２１は、管理処理の対象とするチケットの種類を特定部１６が特定した場合、図１０に示したように、チケットの発行枚数に基づきチケットのチケット番号毎に当該チケットを有効であると管理した履歴を記憶するチェックシートを作成し、記憶部５５に記憶させる。また、チケット管理部２１は、作成したチェックシートを用いて、同一のチケット番号を有するチケットについて、有効であると管理した回数が２回を超えることを検出した場合、当該チケットが重複して印刷されていると判断する。これにより、本実施形態では、複製されたチケットを管理することができる。
【００８５】
また、本実施形態では、チケット管理部１２は、同一のチケット番号を有するチケットについて、有効であると管理した回数が２回を超えることを検出した場合、当該有効であると管理した回数を示す数値を上記チェックシートに記憶させる。これにより、本実施形態では、ユーザーは、重複して印刷されているチケットのチケット番号及びその重複しているチケットの枚数を容易に把握することが可能になる。
【００８６】
また、本実施形態では、表示制御部１２は、図１２に示したように、チケット管理部２１が管理しているチケットのチケット番号及び当該チケットの管理内容を表示部５１に表示させる。これにより、本実施形態では、ユーザーは、チケットの有効性について視認することができ、容易に把握することができる。
【００８７】
なお、上記実施形態において、図１乃至図１２を用いて上記実施形態により示した構成及び処理は、本発明の一実施形態に過ぎず、本発明を当該構成及び処理に限定する趣旨ではない。
【符号の説明】
【００８８】
１              画像形成装置
１１            制御部
１２            表示制御部
１３            暗号番号作成部
１４            識別画像作成部
１５            入力要求部
１６            特定部
１７            識別画像検出部
１８            暗号番号抽出部
１９            チケット番号取得部
２０            判別部
２１            チケット管理部
３２            原稿読取部
３３            印刷部
５１            表示部
５２            タッチパネル（操作受付部）
５３            操作部（操作受付部）
５５            記憶部
【図１】
2019004417.tif 000003
【図２】
2019004417.tif 000004
【図３】
2019004417.tif 000005
【図４】
2019004417.tif 000006
【図５】
2019004417.tif 000007
【図６】
2019004417.tif 000008
【図７】
2019004417.tif 000009
【図８】
2019004417.tif 000010
【図９】
2019004417.tif 000011
【図１０】
2019004417.tif 000012
【図１１】
2019004417.tif 000013
【図１２】
2019004417.tif 000014